(57)【要約】  【課題】  排水口からの異臭の消臭作用等が得られるだけでなく、排水口直下に設けられるごみ受け籠内のごみの処理を行いやすく、しかも、小型化・軽量化と共に製造コストの低減を図ることもできる蓋を提供すること。  【解決手段】  保水状態で流しの排水口６を覆って密閉するシート状に構成されていると共に、消臭作用を有する薬剤またはバイオフィルムの形成を阻害する薬剤または抗菌作用を有する薬剤の一以上を含有するように形成されている。  【選択図】  図１
2006257692.tif 000002
【特許請求の範囲】
【請求項１】
保水状態で流しの排水口を覆って密閉するシート状に構成されていると共に、消臭作用を有する薬剤またはバイオフィルムの形成を阻害する薬剤または抗菌作用を有する薬剤の一以上を含有するように形成されていることを特徴とする蓋。
【請求項２】
不織布を用いて形成されている請求項１に記載の蓋。
【発明の詳細な説明】
【技術分野】
【０００１】
この発明は、流しの排水口に用いられる蓋に関する。
【背景技術】
【０００２】
従来より、流しに水（湯または混合水も含む）を溜めること、あるいは、流しの排水口に設置されるごみ受け籠に付着したごみ等や下水からの異臭が外部に漏れないようにすることを目的として、流しの排水口を適宜に覆うことができるように構成された蓋が用いられている。
【発明の開示】
【発明が解決しようとする課題】
【０００３】
ところで、前記異臭を消すために市販の消臭剤が使用されているが、市販の消臭剤は前記ごみ受け籠等に設置する必要があった。そのため、ごみ受け籠内にたまったごみを処理するには、ごみ受け籠に設置した消臭剤を取り外すなどの作業が必要となり、手間がかかるという問題があった。
【０００４】
そこで、本願出願人は、この出願に先立って、消臭作用を有する薬剤を収納し通気性を有する薬剤収納部材を、蓋本体の裏側に着脱自在に取り付けるようにした蓋を提案している（特願２００３−３４３２３４号）。この蓋では、ごみ受け籠内のごみを処理する場合、蓋を排水口から取り外すことによりこの蓋に装着した薬剤収納部材も同時に取り外されることになるので、上記のように手間がかかるという問題がない。
【０００５】
しかし、本願出願人は、鋭意研究の結果、小型化・軽量化および製造コストの低減を図る上でさらに好ましい蓋を得るに至った。
【０００６】
この発明は上述の事柄に留意してなされたもので、その目的は、排水口からの異臭の消臭作用等が得られるだけでなく、排水口直下に設けられるごみ受け籠内のごみの処理を行いやすく、しかも、小型化・軽量化と共に製造コストの低減を図ることもできる蓋を提供することである。
【課題を解決するための手段】
【０００７】
上記目的を達成するために、この発明の蓋は、保水状態で流しの排水口を覆って密閉するシート状に構成されていると共に、消臭作用を有する薬剤またはバイオフィルムの形成を阻害する薬剤または抗菌作用を有する薬剤の一以上を含有するように形成されていることを特徴としている（請求項１）。
【０００８】
また、この発明の蓋は、具体的には、不織布を用いて形成することができる（請求項２）。
【発明の効果】
【０００９】
請求項１および２に係る発明では、排水口からの異臭の消臭作用等が得られるだけでなく、排水口直下に設けられるごみ受け籠内のごみの処理を行いやすく、しかも、小型化・軽量化と共に製造コストの低減を図ることもできる蓋が得られる。すなわち、保水状態とした本発明の蓋で前記排水口を覆うと、この蓋の周縁が排水口周縁に密着する。そして、蓋によって排水口を覆ったときには、流しの排水口の直下に設置されるごみ受け籠に付着したごみ等や下水からの異臭が外部に漏れないようにすることができる。
【００１０】
さらに、蓋に、消臭作用を有する薬剤を含有させてある場合には、この薬剤により前記異臭を消すことができ、しかも、蓋が排水口を密閉するので、薬剤の消臭機能が排水口の直下近傍における空間で集中的に発揮され、これにより、薬剤による消臭が非常に効果的に行われることになる。
【００１１】
また、蓋に、バイオフィルムの形成を阻害する薬剤を含有させてある場合には、排水口の周辺部や排水口直下のごみ受け籠におけるバイオフィルムの形成が阻害されることとなる。さらに、蓋に、抗菌作用を有する薬剤を含有させてある場合には、排水口の周辺部や排水口直下のごみ受け籠が殺菌・抗菌され、衛生的に保たれることとなる。
【００１２】
しかも、上記本発明の蓋では、蓋に前記消臭作用を有する薬剤等を含有させてあるので、前記蓋と薬剤等を一体的に扱うことができ、排水口直下に設けられるごみ受け籠内のごみの処理を行うときに、前記薬剤をごみ受け籠から取り出した後にごみ受け籠のごみを捨てるなどの余分な手間がかかるという問題がない。さらに、蓋本体はシート状となっているので、小型化・軽量化と共に製造コストの低減を図ることもできる。
【００１３】
そして、上記効果の他、蓋はコンパクトな構成となっているので、運搬等に便利であり、さらに、非常に安価であるので蓋を使い捨てタイプとして用いることもできる。
【００１４】
特に、請求項２に係る発明では、一層の軽量化・薄型化を図ることができると共に非常に安価な蓋が得られる。
【発明を実施するための最良の形態】
【００１５】
図１および図２は、この発明の一実施の形態に係る蓋１の構成を概略的に示す分解斜視図および縦断面図である。まず、図１および図２において、２は菊割れ蓋であり、この菊割れ蓋２は、環状枠部３と、平面視円形の底部４とを有し、底部４は、環状枠部３の内周面に連設された複数の菊割れ舌片５によって構成されている。そして、菊割れ蓋２は流しの排水口６に着脱自在に設置され、排水口６の直下には、メッシュ状のごみ受け籠７（図２参照）が着脱自在に設置されている。なお、図２において、８は前記ごみ受け籠７を着脱自在に収容し下流側が排水パイプに接続されるごみ受け籠収容容器であり、このごみ受け籠収容容器８の上端部に菊割れ蓋２が着脱自在に設置される前記排水口６が形成されている。
【００１６】
そして、図１および図２に示すように、前記蓋１は、保水状態で排水口６を菊割れ蓋２ごと覆って密閉するシート状に構成されている。そして、この蓋１は、消臭作用を有する薬剤またはバイオフィルムの形成を阻害する薬剤または抗菌作用を有する薬剤の一以上を含有する不織布を用いて形成されている。また、蓋１は、平面視ほぼ円形状の部材で、直径が約１８０ｍｍ程度となっている。
【００１７】
前記蓋１を構成する不織布は、保水性（保湿性）を有すると共に、通気性をほとんど有しないように目が密に詰まったメッシュ状となっている。
【００１８】
前記消臭作用を有する薬剤は、前記菊割れ蓋２やごみ受け籠７に付着したごみや下水からの異臭を消す消臭作用を有していることが望ましく、例えば、東亜合成株式会社製のケスモン（商標）を用いることができる。
【００１９】
前記バイオフィルムの形成を阻害する薬剤としては、例えば、有害なガスを発生することがなく人体に対しては安全性が高いダイマー３８（商品名：イヌイ株式会社製）を用いることができ、この薬剤は、第４アンモニウム塩を主たる成分としている。ここで、バイオフィルムとは、微生物が排出するスライムで囲まれた微生物の集合体で、ヌメリの薄膜であり、このバイオフィルムの形成を阻害すればヌメリ発生防止に大きな効果が得られる。
【００２０】
ここで、蓋１に前記バイオフィルムの形成を阻害する薬剤を添加する場合、その添加量（含有量）は例えば１〜３重量％とすることが好ましい。これは、前記薬剤の添加量が１重量％よりも少ないとバイオフィルムの形成を阻害する効果が低下し易くなり、３重量％よりも多いと蓋１の主たる材料に前記薬剤を均一に混合するのが困難となるためである。
【００２１】
前記抗菌作用を有する薬剤としては、例えば、東亜合成株式会社製のカビノン（商標）を用いることができ、この薬剤は、イソチアゾリン系有機剤とシリカ系無機剤のハイブリッド（複合）材料を含むものである。
【００２２】
ここで、蓋１に前記抗菌作用を有する薬剤を添加する場合、その添加量（含有量）は例えば２〜１０重量％とすることが好ましい。これは、前記薬剤の添加量が２重量％よりも少ないと抗菌効果が低下し易くなり、１０重量％よりも多いと蓋１の主たる材料に前記薬剤を均一に混合するのが困難となるためである。
【００２３】
そして、上記のように構成された蓋１は、例えば流しを使用しなくなる就寝時などに、水（湯または混合水を含む）に濡らした状態で排水口６を覆わせることで用いられる。すなわち、保水状態となった蓋１によって前記排水口６を覆うと、この蓋１の周縁が排水口６周縁に密着する。そして、蓋１によって排水口６を覆ったときには、流しの排水口６の直下に設置されるごみ受け籠７に付着したごみ等や下水からの異臭が外部に漏れないようにすることができる。
【００２４】
さらに、蓋１に、消臭作用を有する薬剤を含有させてある場合には、この薬剤により前記異臭を消すことができ、しかも、蓋１が排水口６を密閉するので、薬剤の消臭機能が排水口６の直下近傍における空間で集中的に発揮され、これにより、薬剤による消臭が非常に効果的に行われることになる。
【００２５】
ここで、一般的に市販されている塩素系消臭剤は、例えばごみ受け籠７内に載置されて使用される。そして、当該薬剤から発生した塩素ガスにより排水口の異臭を消すが、発生する塩素ガスはゴム製の菊割れ蓋の劣化の原因の一つになるおそれがあり、また、前記塩素ガスによりその使用者等の健康上の問題も生じる。しかし、この実施の形態で消臭作用を有する薬剤として用いる上記ケスモン（商標）は、異臭を吸着により消す無機系の消臭剤であり、上記塩素系消臭剤のように塩素ガスを発生させないので、ゴム製の菊割れ蓋を劣化させたり、その使用者等の健康を害することもなく、安全性が高い。
【００２６】
また、蓋１に、バイオフィルムの形成を阻害する薬剤を含有させてある場合には、蓋１を濡らすために用いた水に前記薬剤が溶けてなる溶解液が蓋１の周囲に溶出することにより、排水口６の周辺部や排水口６直下のごみ受け籠７におけるバイオフィルムの形成が阻害されることとなる。
【００２７】
また、蓋１に、抗菌作用を有する薬剤を含有させてある場合には、蓋１を濡らすために用いた水に前記薬剤が溶けてなる溶解液が蓋１の周囲に溶出することにより、排水口６の周辺部や排水口６直下のごみ受け籠７が殺菌・抗菌され、衛生的に保たれることとなる。
【００２８】
そして、上記効果の他、蓋１はコンパクトな構成となっているので、運搬等に便利であり、さらに、非常に安価であるので蓋１を使い捨てタイプとして用いることもできる。
【００２９】
なお、本発明は、上記の実施の形態に限られず、種々に変形して実施することができる。例えば、上記の実施の形態では、蓋１の直径を約１８０ｍｍとしているが、蓋１の大きさは排水口６の大きさ等に応じて適宜に設定すればよい。
【００３０】
また、前記蓋１は平面視円形状に限られず、例えば平面視が楕円形状や矩形状等となるように構成されていてもよい。
【図面の簡単な説明】
【００３１】
【図１】本発明の一実施の形態に係る蓋の構成を概略的に示す分解斜視図である。
【図２】本発明の一実施の形態に係る蓋の構成を概略的に示す縦断面図である。
【符号の説明】
【００３２】
１    蓋
６    排水口
【図１】
2006257692.tif 000003
【図２】
2006257692.tif 000004